(57)【特許請求の範囲】
【請求項１】
電子カルテデータベース及び診療報酬データベースを備えた診療情報処理システムに通信ネットワークを介して入出力する医師用端末と、医師の診察を受ける患者の面前に患者用端末を備え、双方の端末には医師用端末によって入力された患者の訴え、診察の所見、検査の内容・結果、診療方法、処方を電子カルテに入力し、その電子カルテの入力内容を患者用端末の画面上に表示し、次いで患者に説明した診療行為を患者に確認しながら診療行為の入力を行い、その診療行為及びそれに付随する診療報酬の内容を患者用端末の画面上に表示し診療行為の説明、確認の中で診療行為及び診療報酬の選択・確認・変更の入力をし、患者用端末の画面上に診療行為の確認に伴う診療報酬表示及び診療行為の選択・変更に伴う内容表示がされ、その内容を電子カルテデータベース及び診療報酬データベースに保存し、かつ選択肢のある医療行為に対して、医師の説明と患者の確認・選択するまでのプロセスを選択されなかった医療行為を含めて保存するとともに患者に前記診療行為と診療報酬の各経過内容をその診察場所で外部に携帯可能な記録媒体に出力することを特徴とする診療情報処理方法。
【発明の詳細な説明】
【技術分野】
【０００１】
本発明は、医師の診察中に患者に関する診療情報を医師用端末及び患者用端末双方の端末画面上に診療報酬の提示、医療行為の選択プロセスを開示し、患者と医師の合意の下に診察終了後に紙又は磁気等の記録媒体に出力する診療情報処理方法に関する。
【背景技術】
【０００２】
電子カルテシステムでは患者情報と診療情報の保存・蓄積が行なわれている。また、診療報酬請求システムにより診療報酬計算と請求がなされる。
医療機関において患者の診療を記録するカルテの開示が義務化されているものの、実際は診療中に行なわれる治療行為等に関する記録はなされずに、診療結果を開示しているに過ぎない。
医療機関は患者や家族に対して十分な診療情報の提供を行い、患者や家族は自らの命や健康にかかわる情報に関心を持ち、しっかりと理解した上で医療行為を判断・選択し、疑問があれば解決するように努め、患者が医療に主体的に参加することが望まれる。診療情報を医師と患者や家族が共有することにより、患者と医療従事者が対等な立場での信頼関係の構築と患者の権利を保障するものと考える。
【先行技術文献】
【特許文献】
【０００３】
従来の医療費見積りシステムとして、医科診療報酬点数表に基づいて医療費を見積もる医療費見積りシステムにおいて、前記医科診療報酬点数表に基づいた患者の要求に対応する医科診療点数を検索する医科診療点数検索手段と、前記医科診療点数検索手段により検索された医科診療点数表に基づいて前記患者の要求に対応する医療費を計数する医療費計数手段と、前記患者の要求に少なくとも健康保険に関する要求が含まれている場合にその保険料を計数する保険料計数手段と、前記医療費計数手段と、前記保険料計数手段とにより計数された見積り額を前記患者に通知する通知手段とを備えることを特徴とする発明がある(特許文献１)。
【特許文献１】特開２００３−２８１２６７
【発明の概要】
【発明が解決しようとする課題】
【０００４】
上記特許文献１は、患者の診療にかかる費用を会計時前に見積り額として計数し、その計数された見積り額を表示することが可能な医療費見積りシステムを提供することができるという利点を有するが、医師の診断中において、患者が医師の説明する診察内容に対して医師と患者双方の画面上に診療報酬の点数又は金額を表示することはできず、診察の段階で診療費の概算を把握することができないという不便さがあった。
【０００５】
本発明は、上記の課題を解決するためになされたもので、その目的とするところは、医師が診察の際、診療情報データベース（電子カルテデータ及び診療報酬データ）と接続する医師用端末から医師が患者の訴え、診察の所見、検査の内容・結果、診療方法、処方を入力する一方、その際に患者用端末のディスプレイから医師が入力した内容と同様、もしくはそれに近い内容を見読可能とするとともに、診療行為に付随する診療報酬の点数又は金額を表示することで、診察の段階で診療費の概算を把握することが可能となる診療情報処理方法を提供することにある。
【０００６】
また、本発明の目的は、検査、処置方法、処方、更には副作用や使用上の注意事項等のリスクについて、実施前に医師が患者に口頭のみならずディスプレイ上で説明・提示し、患者の了承を得ることができる診療情報処理方法を提供することにある。
【０００７】
医師がディスプレイ上に提示した診療方法が、患者の要望で変更が生じた場合は選択までの履歴を残すことを可能とし、診療情報の患者への受渡を紙及び又は電子データによる記録媒体の両方又は一方で行なうことを可能とする診療情報処理方法を提供することにある。
【課題を解決するための手段】
【０００８】
本発明に係る診療情報処理方法は、電子カルテデータベース及び診療報酬データベースを備えた診療情報処理システムに通信ネットワークを介して入出力する医師用端末と、医師の診察を受ける患者の面前に患者用端末を備え、双方の端末には医師用端末によって入力された患者の訴え、診察の所見、検査の内容・結果、診療方法、処方を電子カルテに入力し、その電子カルテの入力内容を患者用端末の画面上に表示し、次いで患者に説明した診療行為を患者に確認しながら診療行為の入力を行い、その診療行為及びそれに付随する診療報酬の内容を患者用端末の画面上に表示し診療行為の説明、確認の中で診療行為及び診療報酬の選択・確認・変更の入力をし、患者用端末の画面上に診療行為の確認に伴う診療報酬表示及び診療行為の選択・変更に伴う内容表示がされ、その内容を電子カルテデータベース及び診療報酬データベースに保存し、かつ選択肢のある医療行為に対して、医師の説明と患者の確認・選択するまでのプロセスを選択されなかった医療行為を含めて保存するとともに患者に前記診療行為と診療報酬の各経過内容をその診察場所で外部に携帯可能な記録媒体に出力することを特徴とするものである。
【発明の効果】
【０００９】
一般に患者が医療機関で受診した際に、診察や検査、処置、処方に応じた費用を予め知る手段は少なく、会計の段階での請求を見て初めて知るケースがほとんどである。本発明は、診療情報を医師用端末と患者用端末双方の端末画面上に診療報酬の提示、医療行為の選択プロセスを開示し、患者と医師の確認・合意の下に診察終了後に紙又は磁気等の記録媒体に出力する診療情報処理方法であるので、患者が診察時において費用を事前に知ることによって、費用面での患者の希望に沿った検査や治療を選択することが可能となる。
【００１０】
本発明は、医師の立場から考えてみても、医師及び患者双方の端末画面上にカルテの内容を診察時に開示し、患者の確認を記録として電子カルテに残した診療情報を持つことにより、問題が生じてから結果の開示をするよりもトラブルを回避できる。また、患者も電子カルテの内容や診療報酬の提示、医療行為の選択プロセスを紙ないし磁気等の記録媒体に出力して保管することができる。
すなわち、紙ベースでの印刷や携帯用データ保存媒体への見読可能なデータ出力として取り出すことができる。
【００１１】
本発明の効果を要約すると電子カルテの開示を医療行為の結果的な情報公開としてではなく、診察段階から患者に対して説明・確認をとりながら開示していく診療情報サービスの提供ができる。
診察段階で診察料等の基本的な医療行為は勿論、選択肢のある医療行為に応じた診療報酬を患者の加入する健康保険情報から算出し提示することができる。
選択肢のある医療行為に対して、医師の説明と患者が確認・選択するまでのプロセスを選択されなかった医療行為を含めて保存することができる。
その場で診療情報を患者に受け渡すことが可能となる。
【図面の簡単な説明】
【００１２】
【図１】本発明の診療情報処理方法の概略を説明する模式図である。
【図２】患者の受付から診察を経て会計までの流れを示す概略説明図である。
【図３】医師及び患者双方の端末画面に示される電子カルテの内容、診療報酬内容の金額及びその選択を示す図である。
【図４】本発明に係る診療情報処理方法の診察時の流れを示す説明図である。
【発明を実施するための形態】
【００１３】
以下、本発明の一実施例を図１〜図４に基づいて説明する。
電子カルテデータベース１と診療報酬データベース２を備えた診療情報処理システム１２上で本発明の演算処理を行う。診療情報処理システム１２は図示していないが、制御装置、演算装置、主記憶装置、入力装置、出力装置を備えている。診療情報処理システム１２と通信ネットワークで接続された医師用端末３、６と患者用端末４を診察室に備える。診察室には、診察する医師が患者の診察内容等の医療情報入力する医師用端末３、６と診察を受ける患者の面前に配置された患者用端末４、７の画面上で医療情報が表示される。また、診察室には、患者が医療情報を紙に印刷して保存するか、あるいはＦＤ等の記録媒体に記録し保存するための印刷装置５、８又は診療情報を電子データで受け渡すための診療情報受渡装置１１が配置されている。
【００１４】
次に、患者が来院してから帰宅するまでの流れを図２に示すとともに、診察室での流れを図４に示す。さらに、患者用端末の画面イメージを図３に示す。
以下、具体的に説明する。
(１)  初診患者が来院すると、受付端末９で患者の基本情報として、「名前・性別・生年月日・住所・加入保険等の患者を特定するための患者の基本情報」を入力し受付処理を行う。
(２)  再診患者が来院すると、患者の基本情報に変更が無ければ、受付端末９で受付処理を行う。変更があれば、変更内容を受付端末９に入力する。
(３)  診察室では、問診の際に医師用端末３、６に患者の訴え、医師の所見、評価・診断、治療計画を医師が電子カルテ画面に入力する。医師用端末３、６で入力した内容を電子カルテデータベース１に途中データとして登録する。医師用端末３、６からの指示で患者端末４、７の画面上に診療情報を図３のイメージで医師が入力した内容、診療行為に対応する診療報酬を表示する。
【００１５】
(４)  患者は患者用端末４、７に表示された診療情報を医師と共有して、患者は医師の説明のもとで診療行為に対応する診療報酬及び診療内容の説明を確認し選択可能な医療サービスを取捨選択して入力する。
(５)  患者の求めに応じて、印刷装置５、８で診療情報の印刷や診療情報受渡装置１１で外部データ受渡記録媒体への診療情報の出力により患者へ診療データの受渡を行う。
(６)  診察の途中、図２に示すように、検査・処置の後、再度、前記(３)の段階に戻る場合も同様の処理とする。
【００１６】
(７)  医師は、最終カルテデータを電子カルテデータベースに登録・保存する。
(８)  患者は会計処理をして帰宅する。
【００１７】
図３は患者用端末４、７の画面に表示される一例を示すもので、左側の欄には、患者の症状である主訴、現在の病歴、電子カルテの必要内容である医師の所見、検査、処置、処方欄等、および病名欄が設けられており、右側の欄には、診察料を示す欄が設けられており、例えば初診、皮膚科特定疾患等の診察料に対応する点数及び金額、投薬料の欄には患者の選択した薬剤に対応した点数と金額、注射料の欄では患者が選択しない注射内容と点数及びその金額、処置・手術欄、検査料欄、画像診断欄その他の欄における診療報酬内容が示され、小計欄、患者の個人負担金が表示され、合計金額が表示される。
【産業上の利用可能性】
【００１８】
本発明は、医師と患者が共に信頼関係の下で医師の診察、治療等の医療行為及び診療報酬を医師、患者双方が納得した診療情報の提供が可能となり、医療分野及び医療関連産業に多大の影響を与える利用価値の高い発明である。
【符号の説明】
【００１９】
１      電子カルテデータベース      ２      診療報酬データベース
３、６  医師用端末                  ４、７  患者用端末
５、８  印刷装置                    ９      受付端末
１０    会計端末                    １１    診療情報受渡装置
【図１】
0005394881.tif 000002
【図２】
0005394881.tif 000003
【図３】
0005394881.tif 000004
【図４】
0005394881.tif 000005